(57)【特許請求の範囲】
【請求項１】
建屋の壁面に取付けられたアレイアンテナと、上記アレイアンテナを覆うように建屋の壁面に取付けられたレドームと、上記レドーム内あるいはレドーム外の上記建屋壁面であって、上記アレイアンテナの前面から外れた位置に設置された巻上機と、上記巻上機から吊りロープにより吊り下げられ、上記アレイアンテナ面を昇降する整備用ゴンドラと、上記アレイアンテナの前面から外れた位置に設置され、上記整備用ゴンドラの昇降時に上記アレイアンテナ面を破損しないように上記整備用ゴンドラをガイドするゴンドラガイドとを備えたことを特徴とする壁面取付けアレイアンテナのメンテナンス装置。
【請求項２】
請求項１に記載の壁面取付けアレイアンテナのメンテナンス装置において、不使用時の整備用ゴンドラを上記レドームの底部に収納しておくと共に、上記壁面にはレドーム内の整備用ゴンドラへの乗り降りが可能な出入り口を設けたことを特徴とする壁面取付けアレイアンテナのメンテナンス装置。
【請求項３】
請求項１に記載の壁面取付けアレイアンテナのメンテナンス装置において、上記レドームの底部に上記整備用ゴンドラを通す開閉ハッチを設け、不使用時の整備用ゴンドラを上記レドーム外の地面上に置くようにしたことを特徴とする壁面取付けアレイアンテナのメンテナンス装置。
【請求項４】
請求項１に記載の壁面取付けアレイアンテナのメンテナンス装置において、一つのアレイアンテナ面に対して互いに独立して昇降される複数の整備用ゴンドラを設けたことを特徴とする壁面取付けアレイアンテナのメンテナンス装置。
【請求項５】
請求項１に記載の壁面取付けアレイアンテナのメンテナンス装置において、昇降時の上記整備用ゴンドラをガイドし、整備用ゴンドラ不使用時にはアレイアンテナ機能に影響を与えないように折りたたみまたは取外し可能なゴンドラガイドを上記レドーム内に設けたことを特徴とする壁面取付けアレイアンテナのメンテナンス装置。
【発明の詳細な説明】
【０００１】
【発明の属する技術分野】
この発明は建屋壁面取付け型のアレイアンテナのメンテナンス装置に関するものである。
【０００２】
【従来の技術】
図６は一般的な建屋壁面取付けアレイアンテナを示す側面図で、１は建屋、２はその壁面に設置されたアレイアンテナ、３はアレイアンテナ２を覆い、風雨等から防ぐレドームである。
【０００３】
このような建屋壁面取付けアレイアンテナのメンテナンスは、図７に示すように、レドーム３を取外した後、足場１０を組んで行なう必要があり、この足場上での作業は高所作業となり危険を伴う。また、レドーム３の取外し、再組立にはクレーン車等の重機が必要で大掛かりな作業となるばかりか、雨天時、強風下等では作業出来ないため、メンテナンスにかなりの日数と費用を要する。
【０００４】
別のメンテナンス方法としては、図８に示すように、レドーム３を取外すことなく、レドーム３内に上から縄梯子、ロープ１１を垂らし、これにぶら下がって行なう方法もあるが、安全面での懸念や、作業性が悪いという問題があった。
【０００５】
【発明が解決しようとする課題】
この発明は、上記の問題点を解消するためになされたもので、建屋壁面取付け型のアレイアンテナおいて、レドームを取外すことなく、また、天候にも左右されず、安全に短期間で安価にメンテナンス実施可能な装置を提供することを目的とする。
【０００６】
【課題を解決するための手段】
この発明に係る壁面取付けアレイアンテナのメンテナンス装置は、建屋の壁面に取付けられたアレイアンテナとこれを保護するレドームとの間に吊り下げられる整備用ゴンドラを備えたものである。
【０００７】
また、上記の壁面取付けアレイアンテナのメンテナンス装置において、不使用時の整備用ゴンドラを上記レドームの底部に収納しておくと共に、上記壁面にはレドーム内の整備用ゴンドラへの乗り降りが可能な出入り口を設けたものである。
【０００８】
また、上記の壁面取付けアレイアンテナのメンテナンス装置において、上記レドームの底部に上記整備用ゴンドラを通す開閉ハッチを設け、不使用時の整備用ゴンドラを上記レドーム外の地面上に置くようにしたものである。
【０００９】
また、上記の壁面取付けアレイアンテナのメンテナンス装置において、上記整備用ゴンドラを吊るす巻上げ機を上記レドーム内の建屋壁面に設置したものである。
【００１０】
また、上記の壁面取付けアレイアンテナのメンテナンス装置において、上記整備用ゴンドラを吊るす巻上げ機を上記レドーム外の建屋壁面に設置したものである。
【００１１】
また、上記の壁面取付けアレイアンテナのメンテナンス装置において、一つのアレイアンテナ面に対して互いに独立して昇降される複数の整備用ゴンドラを設けたものである。
【００１２】
また、上記の壁面取付けアレイアンテナのメンテナンス装置において、昇降時の上記整備用ゴンドラをガイドし、整備用ゴンドラ不使用時にはアレイアンテナ機能に影響を与えないように折りたたみまたは取外し可能なゴンドラガイドを上記レドーム内に設けたものである。
【００１３】
【発明の実施の形態】
実施の形態１．
この発明の実施の形態１を図１、図２について説明する。図において、１はアレイアンテナを設置するための建屋、２は建屋１の壁面に取付けられているアレイアンテナ、３はアレイアンテナ２を覆い、風雨等から保護するレドームである。
【００１４】
４はレドーム３内で、アレイアンテナ２の前面から外れたレドーム３の底部に収納されている整備用ゴンドラ、５はレドーム３内の、アレイアンテナ２の前面から外れた上部の建屋１壁面に支持腕５ａにより取付けられた巻上げ機、６は巻上げ機５から整備用ゴンドラ４を吊り上げる吊りロープである。巻上げ機５は例えばモータで駆動され、遠隔操作にて動作するものとする。
【００１５】
７は整備用ゴンドラ４が昇降するときの揺れにてアレイアンテナ１が破損するのを防止するためのゴンドラガイドで、折りたたみ式構造となっており、アレイアンテナ２の運用時、つまり整備用ゴンドラ４を吊り上げないときは、建屋壁面に沿った７ａの位置に折りたたまれて収納されている。８はアレイアンテナ２のメンテナンス必要時に、建屋１内よりレドーム３内へ作業員が出入りするための出入り口で、レドーム３内左右２箇所の建屋１の壁面に設けらている。
【００１６】
次に、動作を説明する。アレイアンテナ２のメンテナンスを行わないとき、整備用ゴンドラ４はレドーム３内の底部に収納されている。アレイアンテナ２のメンテナンス実施時、作業員が出入り口８よりレドーム３内へ入り、巻上げ機５に巻かれている吊りロープ６を遠隔操作にて垂れ下がらせて整備用ゴンドラ４の両側に接続する。次に７ａの位置に折りたたまれている整備用ゴンドラガイド７を図示実線の位置にセットする。吊りロープ６の接続、ゴンドラガイド７のセットが正常に行なわれているかを確認した後、整備用ゴンドラ４に作業員を乗せ、巻上げ機５を遠隔操作にて作動させ、整備用ゴンドラ４を任意のメンテナンス部位まで吊上げアレイアンテナ２のメンテナンスを行なう。作業完了後は整備用ゴンドラ４をレドーム３内の下部まで吊り下ろして吊りロープ６をはずし、吊りロープ６はそのまま巻上げる。最後にゴンドラガイド７を７ａの位置に収納する。
【００１７】
実施の形態２．
この発明の実施の形態２を図３に示す。実施の形態２は実施形態１と基本構造は変わらないので、図３において、図１、図２に相当する部分には同一符号を付して説明を省略する。実施の形態１との構造の相違は、整備用ゴンドラを左右２分割４ａ、４ｂとし、これに伴い、これら整備用ゴンドラ４ａと４ｂとの間に取外し式のゴンドラガイド７を設けると共に、２台の整備用ゴンドラ４ａ、４ｂを個々に吊上げるために巻上げ機５の台数と吊りロープ６の本数を２倍にしたことである。なお、中央のゴンドラガイド７は上端、下端が建屋１の壁面に固定できるようになされており、メンテナンス時以外は取外して例えばレドーム３の底部に収納する。
【００１８】
動作についても実施の形態１とほぼ同じであるが、相違点は２台の整備用ゴンドラ４ａ、４ｂをそれぞれ互いに独立して動かすことと、メンテナンス完了後必ず中央のゴンドラガイド７を取外すことである。
【００１９】
なお、上記説明は整備用ゴンドラを２つに分けた場合についての例であるが、必要に応じて整備用ゴンドラを３つ以上に分けてもよい。それに伴って、ゴンドラガイドの数、巻上げ機の数、ロープの本数を増やすのはもちろんである。
【００２０】
実施の形態３．
上記実施の形態１、実施の形態２では、メンテナンス時以外、整備用ゴンドラ４はレドーム３の底部に収容されているが、本実施の形態３では、不使用時の整備用ゴンドラ４をレドーム３外の下方の地面１３に設置しておくものである。図４は本実施の形態４の要部を示すもので、整備用ゴンドラ４は地面１３上に置かれている。９ａはメンテナンス時に整備用ゴンドラ４をレドーム３内に吊り上げるためにレドーム３下部に設けられた開閉式のハッチである。その他の構成は図１乃至図３と同じである。
【００２１】
動作は実施の形態１、実施の形態２とほぼ同様であるが、相違点は整備用ゴンドラ４がレドーム３外の地面１３上に置かれているため、メンテナンス時にはレドーム３下部のハッチ９ａを開くことである。そして、開いたハッチ９ａを通して、巻上げ機５から吊り下げた吊りロープ６を整備用ゴンドラ４に接続し、開いたハッチ９ａを通してレドーム３内に整備用ゴンドラ４を巻上げ機５で吊り上げてアレイアンテナ２のメンテナンスを行う。
【００２２】
実施の形態４．
この発明の実施の形態４を図５に示す。図５はメンテナンス装置の要部を示すもので、実施の形態１、実施の形態２と基本構造は変わらないが、相違点は整備用ゴンドラ４を吊上げるための巻上げ機５がレドーム３外の建屋壁面に支持腕５ａで取付けられている点である。レドーム３の上面には開閉式のハッチ９ｂが設けられ、巻上げ機５はこの上部ハッチ９ｂを通して吊りロープ６を吊り下げる。なお、ハッチ９ｂの代わりに吊りロープ６を通す穴をレドーム３の上面に設けて、ハッチを省略してもよい。その他の構成は図１乃至図３と同様である。
【００２３】
動作は実施の形態１、形態２とほぼ同様であるが、相違点は巻上げ機５がレドーム３外に設置されているので、メンテナンス時には吊りロープ６を通すためレドーム３上面の上部ハッチ９ｂを開き、巻上げ機５から吊りロープ６を垂らして整備用ゴンドラ４に接続することが必要である点である。
【００２４】
実施の形態５．
上記実施の形態４は巻上げ機５をレドーム３外の建屋１の壁面に設置し、整備用ゴンドラ４をレドーム３の底部に収納したものであるが、巻上げ機５をレドーム３外の建屋１の壁面に設置し、また、不使用時の整備用ゴンドラ４をレドーム３外の地面１３上に置くようにしてもよい。この場合、レドーム３の下面には開閉式の下部ハッチ９ａを、レドーム３の上面には開閉式の上部ハッチ９ｂまたはロープを通す穴を設ける。
【００２５】
基本動作は実施の形態１、実施の形態２とほぼ同じである。整備用ゴンドラ４の動作は実施の形態３に、また、巻上げ機５の動作は実施の形態４に示した通りである。
【００２６】
【発明の効果】
以上のように、請求項１の発明によれば、レドーム内に上下任意の位置に移動可能な整備用ゴンドラを設けているので、レドームを取外す必要はなく、また、天候にも左右されず、安全に、短期間でアレイアンテナのメンテナンスが可能である。
【００２７】
また、請求項２の発明によれば、整備用ゴンドラがもともとレドーム内に収納されているので、メンテナンス時に整備用ゴンドラのセットに手間がかからず、作業が簡単になる。
【００２８】
また、請求項３の発明によれば、整備用ゴンドラの収納場所を地面上にしているので、レドームに余分の荷重を掛けることがなく、レドームの強度に特別の配慮を必要としない。
【００３１】
また、請求項４の発明によれば、整備用ゴンドラを複数個設けることにより、広いアレイアンテナ面のメンテナンスを複数の作業員で短時間に行うことができる。
【００３２】
また、請求項５の発明によれば、ゴンドラガイドを設けることによって、整備用ゴンドラの安定を保ち、アレイアンテナ面の損傷を防ぎ、作業の安全を確保し、作業をやりやすくできる。また、折りたたんだりまたは取外すことにより、アンテナの機能には影響を与えない。
【図面の簡単な説明】
【図１】この発明の実施の形態１に係る壁面取付けアレイアンテナのメンテナンス装置を示す略線正面図である。
【図２】図１に示す壁面取付けアレイアンテナのメンテナンス装置の略線側面図である。
【図３】この発明の実施の形態２に係る壁面取付けアレイアンテナのメンテナンス装置を示す略線正面図である。
【図４】この発明の実施の形態３に係る壁面取付けアレイアンテナのメンテナンス装置の要部を示す略線側面図である。
【図５】この発明の実施の形態４に係る壁面取付けアレイアンテナのメンテナンス装置の要部を示す略線側面図である。
【図６】一般的な壁面取付けアレイアンテナを示す略線側面図である。
【図７】従来の壁面取付けアレイアンテナのメンテナンス方法を説明する図である。
【図８】従来の壁面取付けアレイアンテナのメンテナンス方法を説明する図である。
【符号の説明】
１  建屋、                        ２  アレイアンテナ、
３  レドーム、                    ４  整備用ゴンドラ、
４ａ  整備用ゴンドラ、            ４ｂ  整備用ゴンドラ、
５  巻上げ機、                  ５ａ  支持腕、
６  吊りロープ、                  ７  ゴンドラガイド、
７ｂ  ゴンドラガイド収納位置、      ８  出入り口、
９ａ  下部ハッチ、                ９ｂ  上部ハッチ、
１３  地面。
【図１】
0003619803.tif 000002
【図２】
0003619803.tif 000003
【図３】
0003619803.tif 000004
【図４】
0003619803.tif 000005
【図５】
0003619803.tif 000006
【図６】
0003619803.tif 000007
【図７】
0003619803.tif 000008
【図８】
0003619803.tif 000009